(57)【要約】【課題】簡単な構造によりゴミ運搬車へのゴミ積載を機械化し作業効率を向上したゴミ運搬車へのゴミ積載装置を提供する。【解決手段】支持脚２上にバネ５を介して支持されたシュート１と、このシュート１の下面に取り付けられ前記シュート１に振動を付与する加振機６と、前記シュート１の前端に取り付けられゴミ運搬車１０のゴミ投入口縁とシュート１の前端との間を架橋状にするゴム板７とから構成され、ゴミを収容したパレットをフォークリフトでゴミ運搬車１０まで運搬して前記パレットから前記加振機６によって振動が付与されている前記シュート１上にゴミを投下してゴミ運搬車１０に積載するようにした。【選択図】        図１
2004277163.tif 000002
【特許請求の範囲】
【請求項１】
支持脚上にバネを介して支持されたシュートと、このシュートの下面に取り付けられ前記シュートに振動を付与する加振機と、前記シュートの前端に取り付けられゴミ運搬車のゴミ投入口縁とシュートの前端との間を架橋状にするゴム板とから構成され、ゴミを収容したパレットをフォークリフトでゴミ運搬車まで運搬して前記パレットから前記加振機によって振動が付与されている前記シュート上にゴミを投下してゴミ運搬車に積載するようにしたことを特徴とするゴミ運搬車へのゴミ積載装置。
【発明の詳細な説明】
【０００１】
【発明の属する技術分野】
本発明は、ゴミ運搬車へのゴミ積載を機械化したゴミ運搬車へのゴミ積載装置に関するものである。
【０００２】
【従来の技術】
【特許文献１】特開２００２−２６５００６公報
【非特許文献１】従来、一般的なゴミ運搬車へのゴミ積載を図５で示す。
【０００３】
特許文献１は支柱に底板が開閉可能なコンテナが取り付けられ、コンベヤによって搬送するゴミを前記コンテナの上部のゴミ投入口より投入し、ゴミ運搬車が前記コンテナの下方空間内に入ってコンテナ内に収容されたゴミを積載するようにしたゴミ収集装置である。この装置は自動積載ではあるが定置式で大がかりであり多大な設備費を要している。
一般的なゴミ運搬車へのゴミ積載はゴミ集積場に置かれた袋詰め等のゴミを作業者が直接ゴミ運搬車へ投入積載したり、非特許文献１の図５で示すようにゴミ運搬車１０を定位置に停止（図５Ａ）し、ゴミを収容したパレット１１ａをフォークリフト１３で前記ゴミ運搬車１０の近傍に運搬（図５Ｂ）して地上に置き、作業員が地上に置かれているパレット１１ａからゴミを取り出し（図５Ｃ）、ゴミ運搬車１０に投入（図５Ｄ）して積載している。
【０００４】
【発明が解決しようとする課題】
上記従来の一般的なゴミ運搬車へのゴミ積載では作業員の人手によるものであり、作業員の労力負担と作業効率が悪いという問題があった。
【０００５】
本発明の目的は、簡単な構造によりゴミ運搬車へのゴミ積載を機械化し作業効率を向上したゴミ運搬車へのゴミ積載装置を提供することである。
【０００６】
【課題を解決するための手段】
上記の目的を達成するための本発明は、支持脚上にバネを介して支持されたシュートと、このシュートの下面に取り付けられ前記シュートに振動を付与する加振機と、前記シュートの前端に取り付けられゴミ運搬車のゴミ投入口縁とシュートの前端との間を架橋状にするゴム板とから構成され、ゴミを収容したパレットをフォークリフトでゴミ運搬車まで運搬して前記パレットから前記加振機によって振動が付与されている前記シュート上にゴミを投下してゴミ運搬車に積載するようにしたことを特徴とするするものである。
【０００７】
【発明の実施の形態】
以下本発明の実施の形態を図面に基づいて説明する。図１において、９は本発明のゴミ積載装置を示し、１は鉄板や硬質プラスチック材等で作られたシュートである。このシュート１は支持脚２にバネ５を介して地上よりある所要の高さで支持されている。前記支持脚２には移動用の手すり４が取り付け、支持脚２下端にストッパ付きキャスタ３を取り付けてゴミ積載装置９を手押しで移動可能することが望ましいが、必ずしもストッパ付きキャスタ３を取り付けなくてもゴミ積載装置９が軽量であるので持ち運び移動することができ、ストッパ付きキャスタ３の取り付けを限定するものではない。
【０００８】
前記シュート１下面には前記シュート１に振動を付与する加振機６がとりつけられており、また、前記シュート１の前端にはゴミ運搬車１０のゴミ投入口縁とシュート１前端との間を架橋状にするゴム板７が取り付けられている。
【０００９】
さらに、ゴミ積載装置１の支持脚２にストッパ軸８を設け、ゴミ運搬車１０のゴミ投入口部位に前記ストッパ軸８を係合する溝１５を備えた連結部材１４設けておくことが望ましい。
【００１０】
また、ゴミ積載装置１に搬送するゴミは図２で示すようにフォーク差し込み口１２を底部に設けたパレット１１に収容し、このパレット１１を図３で示すようにフォークリフト１３によってゴミ積載装置１に搬送するものである。
【００１１】
上記の構成による本発明の作用について図４により説明する。先ず、図４Ａで示すようにゴミ運搬車１０を定位置に停止し、図４Ｂで示すようにゴミ積載装置９をゴミ運搬車１０に移動し、支持脚２にストッパ付きキャスタ３の取り付けたものではストッパを効かせ、ストッパ軸８をゴミ運搬車１０側の連結部材１４の溝１５に係合してゴミ積載装置９をゴミ運搬車１０に連結する。
【００１２】
一方、フォークリフト１３はゴミを収容したパレット１１をゴミ積載装置９まで搬送し、図４Ｃで示すようにパレット１１をシュート１の直上で反転させ、パレット１２内のゴミをシュート１に投下し、図４Ｄで示すようにシュート１に投下されたゴミはゴミ運搬車１０に投入積載されるのである。
【００１３】
そこで、シュート１は支持脚２にバネ５を介して支持されているシュート１は前記パレット１２内のゴミをシュート１に投下した時の衝撃でバネ５が振動して揺動しゴミを滑動を促進してゴミ運搬車１０へ投入積載し易くする。このバネ５の振動は除々に弱まるので加振機６を作動してシュート１に振動を付与しゴミをすべてのゴミ運搬車１０へ投入積載まで振動付与を続行する。
【００１４】
シュート１の前端に取り付けたゴム板７はゴミ運搬車１０のゴミ投入口縁とシュート１前端との間を架橋状にし、シュート１の前端とゴミ運搬車１０のゴミ投入口縁との間にゴミが挟まることを防止する。
【００１５】
また、キャスタ３のストッパ及びゴミ運搬車１０側の連結部材１４の溝１５に係合しているストッパ軸８は、パレット１１からゴミをシュート１に投下された時のシュート１の振動や揺動及び加振機６による振動によるゴミ積載装置９の移動を抑制する。
【００１６】
【発明の効果】
以上のように本発明によると、簡単な構造により人手を使うことなくゴミをゴミ運搬車に投入積載することができ省力化と作業能率の向上が得られる。また、シュートは支持脚にバネを介して揺動可能に支持され、かつ加振機により振動を付与するため、シュート上の投下されたゴミの滑動を促進して円滑にゴミ運搬車へ投入積載することができる利点がある。
【図面の簡単な説明】
【図１】本発明装置の側面図
【図２】ゴミを搬送するパレットの正面図
【図３】フォークリフトでパレットを運搬している状態の斜視図
【図４】本発明装置を用いたゴミ運搬車へのゴミ積載説明図
【図５】従来一般的なミ運搬車へのゴミ積載説明図
【符号の説明】
１      シュート
２      支持脚
３      ストッパ付きキャスタ
４      手すり
５      バネ
６      加振機
７      ゴム板
８      ストッパ軸
９      ゴミ積載装置
１０      ゴミ運搬車
１１      パレット
１２      フォーク差し込み口
１３      フォークリフト
１４      連結部材
１５      溝
【図１】
2004277163.tif 000003
【図２】
2004277163.tif 000004
【図３】
2004277163.tif 000005
【図４】
2004277163.tif 000006
【図５】
2004277163.tif 000007